(57)【要約】  【課題】  チャンネルのアップ／ダウン時に未契約有料放送の画面は表示を行わずに、次のチャンネル画面を表示する機能を有する放送受信装置を提供する。  【解決手段】  現在時刻が夜中を除く通常の放送時間帯内に有るとき、チャンネルのアップキー／ダウンキーを押下すると、チューナ２のチャンネル選択動作が開始され、チャンネルが選択される。選択された当該チャンネルの放送信号に音声信号が無いと音声判定手段１３３により判定され、当該チャンネルを以前にメモリ６に記憶しているとチャンネル判定手段１３５により判定されたとき、有料放送チャンネル断定手段１３７により当該チャンネルが未契約有料放送のチャンネルであると断定され、メモリ６に記憶される。次回からのチャンネルのアップ／ダウンによるチャンネル選択時には、スキップ手段１３８により、メモリ６に記憶の未契約有料放送のチャンネルを飛ばしてチャンネル選択が行われる。【選択図】      図１
2005217958.tif 000002
【特許請求の範囲】
【請求項１】
テレビ放送局のチャンネルを選択し、選択したチャンネルの映像音声信号を出力する放
送受信装置において、現在時刻が夜中を除く通常の放送時間帯内に有るか否かを判定する
時刻判定手段と、現在時刻が通常の放送時間帯内に有ると前記時刻判定手段により判定さ
れたときチャンネルのアップまたはダウンによりチャンネルを選択するための選択動作を
チューナに対して行うチャンネル選択動作手段と、前記選択された当該チャンネルの放送
信号に音声信号が有るか否かを判定する音声判定手段と、前記選択された当該チャンネル
の放送信号に音声信号が有ると判定されたとき当該チャンネルの映像音声信号を出力する
ように制御する出力制御手段と、前記選択された当該チャンネルの放送信号に音声信号が
無いと判定されたとき当該チャンネルを以前にメモリに記憶しているか否かを判定するチ
ャンネル判定手段と、当該チャンネルを以前に前記メモリに記憶していないと判定された
とき当該チャンネルを前記メモリに記憶するチャンネル記憶処理手段と、当該チャンネル
を以前に前記メモリに記憶していると判定されたとき当該チャンネルを未契約有料放送の
チャンネルであると断定して前記メモリに記憶する有料放送チャンネル断定手段と、次回
からのチャンネルのアップまたはダウンによるチャンネルの選択時に前記メモリに記憶さ
れている未契約有料放送のチャンネルを飛ばしてチャンネル選択を行うスキップ手段とを
有するシステムコントローラを備えたことを特徴とする放送受信装置。
【請求項２】
テレビ放送局のチャンネルを選択し、選択したチャンネルの映像音声信号を出力する放
送受信装置において、現在時刻が予め定めた放送時間帯内に有る場合で、チャンネルのア
ップまたはダウンにより選択されたチャンネルの放送信号に音声信号が無いと判定され、
当該チャンネルを以前にメモリに記憶していない場合に当該チャンネルを前記メモリに記
憶し、一方、当該チャンネルを以前に前記メモリに記憶していると判定された場合に、当
該チャンネルを未契約有料放送のチャンネルであると断定して前記メモリに記憶し、次回
からのチャンネルのアップまたはダウンによるチャンネルの選択時に前記メモリに記憶さ
れている未契約有料放送のチャンネルを飛ばしてチャンネル選択を行うシステムコントロ
ーラを備えたことを特徴とする放送受信装置。
【請求項３】
前記現在時刻が予め定めた放送時間帯内とは、現在時刻が夜中を除く通常の放送時間帯
内であることを特徴とする請求項２に記載の放送受信装置。
【請求項４】
前記システムコントローラは、チャンネルのアップまたはダウンにより選択された当該
チャンネルの放送信号に音声信号が有るか否かを判定する音声判定手段と、前記選択され
た当該チャンネルの放送信号に音声信号が無いと判定されたとき当該チャンネルを以前に
メモリに記憶しているか否かを判定するチャンネル判定手段と、当該チャンネルを以前に
前記メモリに記憶していないと判定されたとき当該チャンネルを前記メモリに記憶するチ
ャンネル記憶処理手段と、当該チャンネルを以前に前記メモリに記憶していると判定され
たとき当該チャンネルを未契約有料放送のチャンネルであると断定して前記メモリに記憶
する有料放送チャンネル断定手段と、次回からのチャンネルのアップまたはダウンによる
チャンネルの選択時に前記メモリに記憶されている未契約有料放送のチャンネルを飛ばし
てチャンネル選択を行うスキップ手段とを有することを特徴とする請求項２に記載の放送
受信装置。
【請求項５】
前記システムコントローラは、現在時刻が夜中を除く通常の放送時間帯内に有るか否か
を判定する時刻判定手段と、現在時刻が夜中を除く通常の放送時間帯内に有ると判定され
たときチャンネルのアップまたはダウンによりチャンネルを選択するための選択動作をチ
ューナに対して行うチャンネル選択動作手段とを有することを特徴とする請求項４に記載
の放送受信装置。
【発明の詳細な説明】
【技術分野】
【０００１】
本発明は、例えば、ＢＳ（Broadcasting Satellite）デジタル放送や、ＣＳ（Communic
ation Satellite）デジタル放送における多チャンネルの映像音声情報を受信する放送受
信装置に関し、特に、チャンネルのアップ／ダウンによりチャンネルを選択する際の処理
に関する。
【背景技術】
【０００２】
例えば、ＣＳ放送のデジタル衛星放送システムにおいては、７０以上の多数のチャンネ
ルが用意されており、多数の番組が提供されている。このようなデジタル衛星放送システ
ムからの放送信号を受信する放送受信装置側では、多数の放送局の中でユーザが契約して
いない放送局の有料放送は、受信することができないように成っている。放送受信装置が
チャンネルの選択処理を行う場合は、ユーザがリモコンなどのチャンネルアップ用キーま
たはチャンネルダウン用キーを用いて、チャンネルアップまたはチャンネルダウンを行う
。例えば、チャンネルアップ用キーを一つづつ押下していくと、チャンネル１，チャンネ
ル２，・・・というようにチャンネルが順次切り換えられていく。
【特許文献１】特開平１０−２７６３７３号公報
【特許文献２】特開平９−２８４７４１号公報
【特許文献３】特開２００２−２５２８１７号公報
【発明の開示】
【発明が解決しようとする課題】
【０００３】
このようにして、放送受信装置では、リモコンなどからのチャンネルアップまたはダウ
ン操作により、放送局のチャンネルを順次切り換えていくが、これは未契約の有料放送も
チャンネル選択され、テレビジョンの表示装置に表示される。しかし、チャンネル選択さ
れた放送のうち、未契約の有料放送の表示画面は、例えば青色画面になり、この画面中に
例えば「このチャンネルは受信契約をしていませんので、視聴することができません。」
というようなメッセージが表示される。
【０００４】
したがって、従来の放送受信装置では、チャンネルのアップ／ダウン操作により、未契
約の有料放送に対する画面も表示させるので、希望の放送局を選局するのに時間が多くか
かり、使い勝手が劣ると言う課題が生じる。
【０００５】
なお、特許文献１の従来技術では、選局チャンネルをスキップさせるためのチャンネル
スキップキー（チャンネルのアップキー／ダウンキー）、ならびにチャンネルスキップキ
ーが操作されたときに、ＣＳ放送における無料チャンネルおよび契約済みチャンネルから
なる無料・契約チャンネル範囲内で、選局チャンネルをスキップさせる選局チャンネルス
キップ手段が備えられることにより、チャンネル選局時間の短縮化を図っているが、有料
放送チャンネルを受信中、チャンネルのアップ／ダウンを行った場合に未契約有料放送の
画面は表示を行わずに、次のチャンネル画面を表示することについては、開示されていな
いので、上記のような課題を解決できるものではない。
【０００６】
特許文献２の従来技術では、再生しようとする番組の視聴契約が行われているか否かを
判定する判定手段と、この判定手段により視聴契約が行われていると判定された場合に、
当該番組を再生する手段と、前記判定手段により視聴契約が行われていないと判定された
場合に、当該番組の再生を制限し、ユーザに次の操作を促す画面を表示する手段とが設け
られることにより、今の操作状態を画面で確かめることができるようにしているが、この
従来技術も、有料放送チャンネルを受信中、チャンネルのアップ／ダウンを行った場合に
未契約有料放送の画面は表示を行わずに、次のチャンネル画面を表示することについては
、開示されていないので、上記のような課題を解決できるものではない。
【０００７】
特許文献３の従来技術では、受信した番組情報の中から視聴不能なチャンネルを除いた
番組情報を元に番組表データを生成し、視聴不能な番組情報が電子番組表に表示されない
ようにすることにより、ユーザが誤って視聴不能なチャンネルを選択することを防いでい
るが、この従来技術も、有料放送チャンネルを受信中、チャンネルのアップ／ダウンを行
った場合に未契約有料放送の画面は表示を行わずに、次のチャンネル画面を表示すること
については、開示されていないので、上記のような課題を解決できるものではない。
【０００８】
本発明は、上記のような課題を解決するためになされたもので、有料放送チャンネルが
ある場合、チャンネルのアップ／ダウン時に未契約有料放送の画面は表示を行わずに、次
のチャンネル画面を表示する機能を有する放送受信装置を提供することを目的とする。
【課題を解決するための手段】
【０００９】
上記目的を達成するために、請求項１の発明は、テレビ放送局のチャンネルを選択し、
選択したチャンネルの映像音声信号を出力する放送受信装置において、現在時刻が夜中を
除く通常の放送時間帯内に有るか否かを判定する時刻判定手段と、現在時刻が通常の放送
時間帯内に有ると判定されたときチャンネルのアップまたはダウンによりチャンネルを選
択するための選択動作をチューナに対して行うチャンネル選択動作手段と、前記選択され
た当該チャンネルの放送信号に音声信号が有るか否かを判定する音声判定手段と、前記選
択された当該チャンネルの放送信号に音声信号が有ると判定されたとき当該チャンネルの
映像音声信号を出力するように制御する出力制御手段と、前記選択された当該チャンネル
の放送信号に音声信号が無いと判定されたとき当該チャンネルを以前にメモリに記憶して
いるか否かを判定するチャンネル判定手段と、当該チャンネルを以前に前記メモリに記憶
していないと判定されたとき当該チャンネルを前記メモリに記憶するチャンネル記憶処理
手段と、当該チャンネルを以前に前記メモリに記憶していると判定されたとき当該チャン
ネルを未契約有料放送のチャンネルであると断定して前記メモリに記憶する有料放送チャ
ンネル断定手段と、次回からのチャンネルのアップまたはダウンによるチャンネルの選択
時に前記メモリに記憶されている未契約有料放送のチャンネルを飛ばしてチャンネル選択
を行うスキップ手段とを有するシステムコントローラを備えたことを特徴とする放送受信
装置を提供する。
【００１０】
この構成において、放送受信装置に電源が投入され、放送受信装置が動作状態になると
、システムコントローラにおいては、現在時刻が夜中を除く通常の放送時間帯内に有るか
否かが時刻判定手段により判定され、現在時刻が夜中を除く通常の放送時間帯内に有ると
判定されたとき、ユーザがリモコンなどのチャンネルアップ用キーまたはチャンネルダウ
ン用キーを操作すると、チャンネル選択動作手段によりチューナのチャンネル選択動作が
開始され、チャンネルが選択される。そして、前記選択された当該チャンネルの放送信号
に音声信号が有るか否かが音声判定手段により判定され、前記選択された当該チャンネル
の放送信号に音声信号が有ると判定されたとき、当該チャンネルの映像音声信号を出力す
るように出力制御手段により制御される。
【００１１】
前記選択された当該チャンネルの放送信号に音声信号が無いと判定されたとき、当該チ
ャンネルを以前にメモリに記憶しているか否かがチャンネル判定手段により判定され、当
該チャンネルを以前に前記メモリに記憶していないと判定されたとき、当該チャンネルが
チャンネル記憶処理手段により前記メモリに記憶される。当該チャンネルを以前に前記メ
モリに記憶していると判定されたとき、有料放送チャンネル断定手段により、当該チャン
ネルが未契約有料放送のチャンネルであると断定され、前記メモリに記憶される。次回か
らのチャンネルのアップまたはダウンによるチャンネルの選択時には、スキップ手段によ
り、前記メモリに記憶されている未契約有料放送のチャンネルを飛ばしてチャンネル選択
が行われる。
【００１２】
この構成によれば、有料放送チャンネルがある場合、チャンネルのアップ／ダウンを行
ったときに未契約有料放送の画面は飛ばされて表示が行われず、次のチャンネル画面が表
示されるので、希望の放送局を選局する時間が短縮され、使い勝手が向上する。
【００１３】
請求項２の発明は、テレビ放送局のチャンネルを選択し、選択したチャンネルの映像音
声信号を出力する放送受信装置において、現在時刻が予め定めた放送時間帯内に有る場合
で、チャンネルのアップまたはダウンにより選択されたチャンネルの放送信号に音声信号
が無いと判定され、当該チャンネルを以前にメモリに記憶していない場合に当該チャンネ
ルを前記メモリに記憶し、一方、当該チャンネルを以前に前記メモリに記憶していると判
定された場合に、当該チャンネルを未契約有料放送のチャンネルであると断定して前記メ
モリに記憶し、次回からのチャンネルのアップまたはダウンによるチャンネルの選択時に
前記メモリに記憶されている未契約有料放送のチャンネルを飛ばしてチャンネル選択を行
うシステムコントローラを備えたことを特徴とする放送受信装置を提供する。
【００１４】
この構成において、放送受信装置に電源が投入され、放送受信装置が動作状態になると
、システムコントローラにおいては、現在時刻が予め定めた放送時間帯内に有る場合で、
ユーザがリモコンなどのチャンネルアップ用キーまたはチャンネルダウン用キーを操作す
ると、チューナのチャンネル選択動作が開始され、チャンネルが選択される。そして、前
記選択された当該チャンネルの放送信号に音声信号が無いと判定され、当該チャンネルを
以前にメモリに記憶していないと判定されたとき、当該チャンネルが前記メモリに記憶さ
れる。一方、当該チャンネルを以前に前記メモリに記憶していると判定されたとき、当該
チャンネルが未契約有料放送のチャンネルであると断定され、前記メモリに記憶される。
したがって、次回からのチャンネルのアップまたはダウンによるチャンネルの選択時には
、前記メモリに記憶されている未契約有料放送のチャンネルを飛ばしてチャンネル選択が
行われる。
【００１５】
この構成によれば、有料放送チャンネルがある場合、チャンネルのアップ／ダウンを行
ったときに未契約有料放送の画面は飛ばされて表示が行われず、次のチャンネル画面が表
示されるので、希望の放送局を選局する時間が短縮され、使い勝手が向上する。
【００１６】
請求項３の発明では、請求項２の発明において、前記現在時刻が予め定めた放送時間帯
内とは、現在時刻が夜中を除く通常の放送時間帯内であるので、夜中は本発明のチャンネ
ル選択処理は行われない。即ち、無料放送や契約済み有料放送であっても、夜中は放送し
ていない場合もあるので、このような場合は、チャンネルのアップ／ダウンを行うことを
防止することにより、本発明の特徴とする動作の信頼性を高めることに役立てることがで
きる。
【００１７】
請求項４の発明では、請求項２の発明において、前記システムコントローラは、チャン
ネルのアップまたはダウンにより選択された当該チャンネルの放送信号に音声信号が有る
か否かを判定する音声判定手段と、前記選択された当該チャンネルの放送信号に音声信号
が無いと判定されたとき当該チャンネルを以前にメモリに記憶しているか否かを判定する
チャンネル判定手段と、当該チャンネルを以前に前記メモリに記憶していないと判定され
たとき当該チャンネルを前記メモリに記憶するチャンネル記憶処理手段と、当該チャンネ
ルを以前に前記メモリに記憶していると判定されたとき当該チャンネルを未契約有料放送
のチャンネルであると断定して前記メモリに記憶する有料放送チャンネル断定手段と、次
回からのチャンネルのアップまたはダウンによるチャンネルの選択時に前記メモリに記憶
されている未契約有料放送のチャンネルを飛ばしてチャンネル選択を行うスキップ手段と
を有するので、有料放送チャンネルがある場合、チャンネルのアップ／ダウンを行ったと
きに未契約有料放送の画面を飛ばして表示せずに、次のチャンネル画面を表示することが
できる。
【００１８】
請求項５の発明では、請求項４の発明において、前記システムコントローラは、現在時
刻が夜中を除く通常の放送時間帯内に有るか否かを判定する時刻判定手段と、現在時刻が
夜中を除く通常の放送時間帯内に有ると判定されたときチャンネルのアップまたはダウン
によりチャンネルを選択するための選択動作をチューナに対して行うチャンネル選択動作
手段とを有するので、無料放送や契約済み有料放送であっても、夜中は放送していない場
合もあるが、このような場合は、本発明で言うチャンネルのアップ／ダウンを行うことを
止め、本発明の動作の信頼性を高めることに役立てることができる。
【発明の効果】
【００１９】
以上のように本発明によれば、現在時刻が夜中を除く通常の放送時間帯内に有るか否か
を判定する時刻判定手段と、現在時刻が夜中を除く通常の放送時間帯内に有ると判定され
たときチャンネルのアップまたはダウンによりチャンネルを選択するための選択動作をチ
ューナに対して行うチャンネル選択動作手段と、前記選択された当該チャンネルの放送信
号に音声信号が有るか否かを判定する音声判定手段と、前記選択された当該チャンネルの
放送信号に音声信号が有ると判定されたとき当該チャンネルの映像音声信号を出力するよ
うに制御する出力制御手段と、前記選択された当該チャンネルの放送信号に音声信号が無
いと判定されたとき当該チャンネルを以前にメモリに記憶しているか否かを判定するチャ
ンネル判定手段と、当該チャンネルを以前に前記メモリに記憶していないと判定されたと
き当該チャンネルを前記メモリに記憶するチャンネル記憶処理手段と、当該チャンネルを
以前に前記メモリに記憶していると判定されたとき当該チャンネルを未契約有料放送のチ
ャンネルであると断定して前記メモリに記憶する有料放送チャンネル断定手段と、次回か
らのチャンネルのアップまたはダウンによるチャンネルの選択時に前記メモリに記憶され
ている未契約有料放送のチャンネルを飛ばしてチャンネル選択を行うスキップ手段とを有
するシステムコントローラを備えたので、有料放送チャンネルがある場合、チャンネルの
アップ／ダウンを行ったときに未契約有料放送の画面は飛ばされて表示が行われず、次の
チャンネル画面が表示されるようになり、これにより、希望の放送局を選局する時間が短
縮され、使い勝手が向上する。
【００２０】
また、本発明によれば、現在時刻が予め定めた放送時間帯内に有る場合で、チャンネル
のアップまたはダウンにより選択されたチャンネルの放送信号に音声信号が無いと判定さ
れ、当該チャンネルを以前にメモリに記憶していない場合に当該チャンネルを前記メモリ
に記憶し、一方、当該チャンネルを以前に前記メモリに記憶していると判定された場合に
、当該チャンネルを未契約有料放送のチャンネルであると断定して前記メモリに記憶し、
次回からのチャンネルのアップまたはダウンによるチャンネルの選択時に前記メモリに記
憶されている未契約有料放送のチャンネルを飛ばしてチャンネル選択を行うシステムコン
トローラを備えたので、有料放送チャンネルがある場合、チャンネルのアップ／ダウンを
行ったときに未契約有料放送の画面は飛ばされて表示が行われず、次のチャンネル画面が
表示されるようになり、これにより希望の放送局を選局する時間が短縮され、使い勝手が
向上する。
【発明を実施するための最良の形態】
【００２１】
以下、添付図面を参照しつつ、本発明の実施の形態について説明する。図１は本発明の
一実施形態に係る放送受信装置の構成を示すブロック図である。
【００２２】
この放送受信装置は、テレビ放送局からの放送電波を受信するテレビアンテナ１と、こ
のテレビアンテナ１で受信した放送電波の中から特定のチャンネルのデジタル放送信号を
取り出すチューナ２と、このチューナ２で取り出されたデジタル放送信号に対して復調お
よび誤り訂正を行う復調／誤り訂正部３と、映像データや音声データおよび番組情報など
が多重化されている復調／誤り訂正部３からのデジタル放送信号を映像データと音声デー
タに分離するデマルチプレクサ５と、復調／誤り訂正されたデジタル放送信号に付加され
ている不正視聴防止用のスクランブル信号を解除するデスクランブラ４とを備えている。
【００２３】
また、この放送受信装置は、デジタル圧縮されたデマルチプレクサ５からの音声データ
をアナログ音声信号にデコードする音声デコーダ９と、デジタル圧縮されたデマルチプレ
クサ５からの映像データを展開してＲＧＢ信号にデコードする映像デコーダ１０と、この
映像デコーダ１０から出力されるＲＧＢ信号を１フレーム分格納するフレームメモリ１１
と、このフレームメモリ１１からのＲＧＢ信号を例えばコンポジットビデオ信号にダウン
コンバートする信号変換回路１２と、デマルチプレクサ５により分離された番組情報を復
調する番組情報復調部７とを備えている。
【００２４】
また、この放送受信装置は、前記復調された番組情報を視聴可能な番組情報と視聴不可
能な番組情報とに選別する選別回路１５と、視聴可能な番組情報や番組の視聴契約情報あ
るいは未契約有料放送のチャンネルが記録されるメモリ６と、前記番組情報を元にＴＶ画
面上に表示する番組表データを作成するＯＳＤ処理部８と、この装置内の各ブロック（各
構成要素）を制御するシステムコントローラ１３と、本体前面の操作パネル上の操作キー
やリモコンなどに相当する操作部１４とを備えている。
【００２５】
特に、本実施形態の特徴として、システムコントローラ１３には、現在時刻が夜中を除
く通常の放送時間帯内に有るか否かを判定する時刻判定手段１３１と、現在時刻が夜中を
除く通常の放送時間帯内に有ると前記時刻判定手段１３１により判定されたときチャンネ
ルのアップまたはダウンによりチャンネルを選択するための選択動作をチューナ２に対し
て行うチャンネル選択動作手段１３２と、前記選択された当該チャンネルの放送信号に音
声信号が有るか否かを判定する音声判定手段１３３と、前記選択された当該チャンネルの
放送信号に音声信号が有ると前記音声判定手段１３３により判定されたとき当該チャンネ
ルの映像音声信号を出力するように制御する出力制御手段１３４とが備えられている。
【００２６】
また、システムコントローラ１３には、前記選択された当該チャンネルの放送信号に音
声信号が無いと前記音声判定手段１３３により判定されたとき当該チャンネルを以前にメ
モリ６に記憶しているか否かを判定するチャンネル判定手段１３５と、当該チャンネルを
以前にメモリ６に記憶していないと前記チャンネル判定手段１３５により判定されたとき
当該チャンネルをメモリ６に記憶するチャンネル記憶処理手段１３６と、当該チャンネル
を以前にメモリ６に記憶していると前記チャンネル判定手段１３５により判定されたとき
当該チャンネルを未契約有料放送のチャンネルであると断定してメモリ６に記憶する有料
放送チャンネル断定手段１３７と、次回からのチャンネルのアップまたはダウンによるチ
ャンネルの選択時にメモリ６に記憶されている未契約有料放送のチャンネルを飛ばしてチ
ャンネル選択を行うスキップ手段１３８とが備えられている。
【００２７】
図２は本実施形態においてチャンネルのアップ／ダウンによりチャンネルを選択する際
の処理を説明するためのフローチャートである。このフローチャートを参照してチャンネ
ルのアップ／ダウンによりチャンネルを選択する際の処理を説明する。
【００２８】
放送受信装置に電源が投入され、放送受信装置が動作状態になると、システムコントロ
ーラ１３においては、現在時刻が夜中を除く通常の放送時間帯内に有るか否かが時刻判定
手段１３１により判定され（ステップＳ１）、現在時刻が夜中を除く通常の放送時間帯内
に有ると判定されたとき、ユーザがリモコンなどの操作部１４のチャンネルアップ用キー
またはチャンネルダウン用キーを押下すると、チャンネル選択動作手段１３２によりチュ
ーナ２がチャンネル選択動作を開始し、チャンネルが選択される（ステップＳ３）。
【００２９】
そして、前記選択されたチャンネルの放送信号を受信し（ステップＳ４）、その放送信
号に音声信号が有るか否かが音声判定手段１３３により判定され（ステップＳ５）、前記
選択されたチャンネルの放送信号に音声信号が有ると判定されたとき、そのチャンネルの
映像音声信号を出力するように出力制御手段１３４により制御される（ステップＳ９）。
これにより、信号変換回路１２からビデオ信号が出力され、図示しないテレビジョンの表
示装置に映像が表示され、また、音声デコーダ９から音声信号が出力され、テレビジョン
のスピーカから音声が出力される。
【００３０】
前記選択されたチャンネルの放送信号に音声信号が無いと判定されたとき（ステップＳ
５）、次に、当該チャンネルを以前にメモリ６に記憶しているか否かがチャンネル判定手
段１３５により判定される（ステップＳ６）。音声信号が無い場合は、選択されたチャン
ネルが未契約放送もしくは放送休止状態にある時である。放送休止状態にある時とは夜中
の未放送時間帯にある時であり、この時はチャンネルのアップ／ダウンによりチャンネル
を選択しないようにステップＳ１の処理で本処理によるチャンネル選択を禁止するように
している。そして、当該チャンネルを以前にメモリ６に記憶していないと判定されたとき
、当該チャンネルが、チャンネル記憶処理手段１３６によりメモリ６に記憶される（ステ
ップＳ１０）。
【００３１】
当該チャンネルを以前にメモリ６に記憶していると判定されたとき、有料放送チャンネ
ル断定手段１３７により、当該チャンネルが未契約有料放送のチャンネルであると断定さ
れる（ステップＳ７）。即ち、前回と今回に選択したチャンネルの放送信号に音声信号が
無いため、その放送は未契約の有料放送と断定することができる。そして、その音声信号
無しの未契約有料放送のチャンネルはメモリ６に記憶される（ステップＳ８）。
【００３２】
このような処理により、次回からのチャンネルのアップまたはダウンによるチャンネル
の選択時には、スキップ手段１３８により、メモリ６に記憶されている未契約有料放送の
チャンネルを飛ばしてチャンネル選択が行われる（ステップＳ１１）。したがって、有料
放送チャンネルがある場合、チャンネルのアップ／ダウンを行ったときに、未契約有料放
送の画面は飛ばされて表示が行われず、次のチャンネル画面が表示されるので、希望の放
送局を選局する時間が短縮され、使い勝手が向上する。
【図面の簡単な説明】
【００３３】
【図１】本発明の一実施形態に係る放送受信装置の構成を示すブロック図である。
【図２】前記実施形態においてチャンネルを選択する際の動作を説明するためのフローチャートである。
【符号の説明】
【００３４】
２    チューナ
６    メモリ
１３    システムコントローラ
１３１    時刻判定手段
１３２    チャンネル選択動作手段
１３３    音声判定手段
１３４    出力制御手段
１３５    チャンネル判定手段
１３６    チャンネル記憶処理手段
１３７    有料放送チャンネル断定手段
１３８    スキップ手段
【図１】
2005217958.tif 000003
【図２】
2005217958.tif 000004